(57)【要約】【課題】  滑り防止マットと、滑り防止マットの上を通る人や自動車等との間、及び、滑り防止マットと、滑り防止マットを敷設する敷設面との間の滑りを効果的に防止することができる滑り防止マットを提供する。【解決手段】  マット本体２の一方の面に、直線状凸部３とく字状凸部４とからなり、前記直線状凸部３の長手方向の両側に隙間を空けてく字状凸部４を、前記直線状凸部３の長手方向端部をく字状凸部４の内側頂部４ａで挟むように配置して構成される凸部グループ５を、１の凸部グループ５のく字状凸部４の外側頂部４ｂと他の１の凸部グループ５のく字状凸部４の外側頂部４ｂとが隙間を空けて対向するように一列に配列して凸部グループ列６を設け、前記凸部グループ列６の両側に隙間を順次空けて多数の前記凸部グループ列６を並設し、他方の面にはその全面に、小突起部７を所定の間隔で点在するように設けた。【選択図】    図３
0003128678.tif 000002
【実用新案登録請求の範囲】
【請求項１】
マット本体の一方の面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設され、他方の面にはその全面に、小突起部が所定の間隔で点在するように設けられていることを特徴とする滑り防止マット。
【請求項２】
前記マット本体と前記凸部グループ及び小突起部は産業廃棄物のオルフェン系樹脂を用いて形成されていることを特徴とする請求項１に記載の滑り防止マット。
【考案の詳細な説明】
【技術分野】
【０００１】
本考案は、自動車が通る道路、人が通る道路や通路、水浸しになる屋内の傾斜面等の滑り易い場所に敷設して滑り防止を図る滑り防止マットに関するものである。
【背景技術】
【０００２】
従来のこの種のものとして、網状マット本体の表面に正・逆向きの鋸歯状の突起を刻設した滑り防止マット（例えば、特許文献１参照。）、或いはマット本体の表面に設けた格子状の仮想線の各交点に截頭円錐台形の凸部をそれぞれ設け、各凸部の上面に平面十字状の突起を設けた滑り防止マット（例えば、特許文献２参照。）等が提案されている。
【０００３】
しかしながら、前者の滑り防止マットは、網状マット本体の表面に正・逆向きの鋸歯状の突起を刻設した構成となっているので、例えば、自動車のような重量の重い物の滑り防止として使用する場合は、耐久性に欠けるといった問題があり、また、後者の滑り防止マットは、あらゆる方向に対する滑りを防止するといった点で、必ずしも十分ではない、といった問題があった。
【０００４】
本考案者は、このような問題を解決するものとして、耐久性があり、しかもあらゆる方向に対する滑りを効果的に防止することができる滑り防止マットを開発し、実用新案登録出願をした（特許文献３参照。）。
【０００５】
しかし、これらの滑り防止マットは、何れも滑り防止マットと、滑り防止マットの上を通る人や自動車等との間の滑り防止を目的としており、滑り防止マットと、滑り防止マットを敷設する敷設面との間については全く配慮されていない。
【特許文献１】特開２００４−４１６５４号公報
【特許文献２】特開２００５−１４６７８５号公報
【特許文献３】実用新案登録第３１２１９７５号公報
【考案の開示】
【考案が解決しようとする課題】
【０００６】
上記従来の滑り防止マットでは、滑り防止マットと、滑り防止マットを敷設する敷設面との間については全く配慮されていないので、例えば、滑り防止マットを敷設する場所が、表面が軟弱で且つ傾斜している地面である場合、当該地面に敷設されている滑り防止マットの上に自動車のような重量の重い物が乗った場合、滑り防止マット自体が地面上を滑動してしまうおそれがあるといった問題がある。
【０００７】
本考案の目的は、滑り防止マットと、滑り防止マットの上を通る人や自動車等との間、及び、滑り防止マットと、滑り防止マットを敷設する敷設面との間の滑りを効果的に防止することができる滑り防止マットを提供することにある。
【課題を解決するための手段】
【０００８】
上記の目的を達成するために、請求項１に記載の滑り防止マットは、マット本体の一方の面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設され、他方の面にはその全面に、小突起部が所定の間隔で点在するように設けられていることを特徴とする。
【０００９】
請求項２に記載の滑り防止マットは、請求項１に記載の、前記マット本体と前記凸部グループ及び小突起部は産業廃棄物のオルフェン系樹脂を用いて形成されていることを特徴とする。
【考案の効果】
【００１０】
請求項１に記載の滑り防止マットによれば、マット本体の一方の面に、直線状凸部とく字状凸部とからなり、前記直線状凸部の長手方向の両側に隙間を空けてく字状凸部を、前記直線状凸部の長手方向端部をく字状凸部の内側頂部で挟むように配置して構成される凸部グループが、１の凸部グループのく字状凸部の外側頂部と他の１の凸部グループのく字状凸部の外側頂部とが隙間を空けて対向するように一列に配列されて凸部グループ列が設けられ、前記凸部グループ列の両側に隙間を順次空けて多数の前記凸部グループ列が並設され、他方の面にはその全面に、小突起部が所定の間隔で点在するように設けられているので、いずれの面を裏面として滑り防止マットを敷設する敷設面に向けて敷設しても、マット本体に設けられた凸部グループ列の凸部又は小突起部が敷設面に当接するので、裏面が平滑面となっている従来の滑り防止マットに比べ滑り防止マットと敷設面との間の滑りを効果的に防止することができる。
【００１１】
特に、例えば敷設面が、表面が軟弱で且つ傾斜している地面である場合、マット本体の小突起部が設けられている面を裏面として地面に向けて敷設すると、マット本体の小突起部が地面の軟弱な表面に食い込み、滑り防止マットと地面との間の滑りを効果的に防止することができる。
【００１２】
また、マット本体の凸部グループ列が並設されている面を裏面として地面に向けて敷設すると、マット本体の凸部グループ列を構成する各突部が地面の軟弱な表面に食い込み、横方向の滑りに対しては、凸部グループの直線状凸部が受けてその滑りを防止し、縦方向の滑りに対しては、凸部グループの直線状凸部の長手方向の両側に配置したく字状凸部の内側頂部が受けてその滑りを防止し、斜め方向の滑りに対しては、凸部グループの直線状凸部の長手方向の両側に配置したく字状凸部の外側辺と内側辺が受けてその滑りを防止するので、特に滑り易い軟弱地面でも、滑り防止マットと地面との間のあらゆる方向に対する滑りをより効果的に防止することができる。
【００１３】
また、マット本体の凸部グループ列が多数並設されている面を裏面として地面に向けて敷設したとき、滑り防止マットの表面では、マット本体の小突起部が滑り防止マットの上を通る人や自動車等との間の滑りを効果的に防止することができる。
【００１４】
また、マット本体の小突起部が設けられている面を裏面として地面に向けて敷設したとき、滑り防止マットの表面では、滑り防止マットの上を通る人や自動車等との間において、横方向の滑りに対しては、凸部グループの直線状凸部が受けてその滑りを防止し、縦方向の滑りに対しては、凸部グループの直線状凸部の長手方向の両側に配置したく字状凸部の内側頂部が受けてその滑りを防止し、斜め方向の滑りに対しては、凸部グループの直線状凸部の長手方向の両側に配置したく字状凸部の外側辺と内側辺が受けてその滑りを防止するので、滑り防止マットの上を通る人や自動車等との間のあらゆる方向に対する滑りを一層効果的に防止することができる。
【００１５】
請求項２に記載の滑り防止マットによれば、前記マット本体と前記凸部グループ及び小突起部は産業廃棄物のオルフェン系樹脂を用いて形成されているので、オルフェン系樹脂の産業廃棄物を用いて形成することができ、省資源に寄与することができる。
【考案を実施するための最良の形態】
【００１６】
以下、本考案に係る滑り防止マットを実施する最良の形態の一例を説明する。  
図１乃至図５は本考案に係る滑り防止マットの一例を示し、図１は本例の滑り防止マットの一方の面を示す斜視図、図２は本例の滑り防止マットの他方の面を示す斜視図、図３は図１の一部拡大断面図、図４はマット本体の一方の面の一部拡大図、図５は本例の滑り防止マットの凸部グループの平面図である。
【００１７】
本例の滑り防止マット１は、マット本体２の一方の面に、直線状凸部３とく字状凸部４とからなり、前記直線状凸部３の長手方向の両側に隙間を空けてく字状凸部４を、前記直線状凸部３の長手方向端部をく字状凸部４の内側頂部４ａで挟むように配置して構成される凸部グループ５が、１の凸部グループ５のく字状凸部４の外側頂部４ｂと他の１の凸部グループ５のく字状凸部４の外側頂部４ｂとが隙間を空けて対向するように一列に配列されて凸部グループ列６が設けられ、前記凸部グループ列６の両側に隙間を順次空けて多数の前記凸部グループ列６が並設されている（図１参照）。
【００１８】
前記マット本体２の板厚は、本例では１３ｍｍ、マット本体２の上に配置され凸部グループ５を構成する直線状凸部３とく字状凸部４の高さは、本例では４ｍｍとなっているが、設置場所や用途に応じてこれらの値は適宜変更される。
【００１９】
前記マット本体２の表面に並設されている凸部グループ列６の、隣接する凸部グループ列６、６は、１つの凸部グループ５の直線状凸部３の両側に、隣の凸部グループ列６にある２つの凸部グループ５、５を構成しているく字状凸部４、４の外側頂部４ｂ、４ｂの対向部が存在し、隣り合う凸部グループ列６、６にあるく字状凸部４、４の外側頂部４ｂ、４ｂの対向部はジグザクに並ぶように配列されている（図４参照）。
【００２０】
また、滑り防止マット１は、マット本体２の他方の面には、その全面に、小突起部７が所定の間隔で点在するように設けられている。
【００２１】
前記小突起部７の形状、大きさ及び間隔にあっては特に限定されるものでないが、少なくとも、滑り防止マット１の上を通る人や自動車等との間、及び、滑り防止マット１と、滑り防止マット１を敷設する敷設面との間の滑りを効果的に防止することができる形状、大きさ及び間隔であることを要する。本例では、小突起部７は、半径が４ｍｍの略半球状に形成されている（図２参照）。
【００２２】
また、滑り防止マット１は、ゴムや合成樹脂で形成されるが、本例では、電力用、電線用、電話用等の各種ケーブル、各家庭から排出されるバケツ等の容器類、農業で扱う黒マルチフィルム、商店のポリ袋等の産業廃棄物のオルフェン系樹脂を加熱して混練し、２８００トン油圧プレスして成形して形成されている。
【００２３】
上記のように構成された滑り防止マット１の敷設にあっては、いずれの面を裏面として滑り防止マット１を敷設する敷設面に向けて敷設しても、マット本体２に設けられた凸部グループ列６の凸部３，４又は小突起部７が敷設面に当接するので、滑り防止マット１と敷設面との間の滑りを効果的に防止することができる。
【００２４】
特に、例えば敷設面が、表面が軟弱で且つ傾斜している地面である場合、マット本体２の小突起部７が設けられている面を裏面として地面に向けて敷設すると、マット本体２の小突起部７が地面の軟弱な表面に食い込み、滑り防止マット１と地面との間の滑りを効果的に防止することができる。
【００２５】
また、マット本体２の凸部グループ列６が多数並設されている面を裏面として地面に向けて敷設すると、マット本体の凸部グループ列６を構成する各突部３，４が地面の軟弱な表面に食い込み、図５に示すように、横方向Ａの滑りに対しては、凸部グループ５の直線状凸部３が受けてその滑りを防止し、縦方向Ｂの滑りに対しては、凸部グループ５の直線状凸部３の長手方向の両側に配置したく字状凸部４の内側頂部４ａが受けてその滑りを防止し、斜め方向Ｃの滑りに対しては、凸部グループ５の直線状凸部３の長手方向の両側に配置したく字状凸部４の外側辺４ｃと内側辺４ｄが受けてその滑りを防止するので、特に滑り易い軟弱地面でも、滑り防止マットと地面との間のあらゆる方向への滑りをより効果的に防止することができる。
【００２６】
本例では、前記マット本体２の表面に並設されている凸部グループ列６の、隣接する凸部グループ列６、６は、１つの凸部グループ５の直線状凸部３の両側に、隣の凸部グループ列６にある２つの凸部グループ５、５を構成しているく字状凸部４、４の外側頂部４ｂ、４ｂの対向部が存在し、隣り合う凸部グループ列６、６にある前記く字状凸部４、４の外側頂部４ｂ、４ｂの対向部はジグザクに並ぶように配列されているので、あらゆる方向に対する滑りをより一層効果的に防止することができる。
【００２７】
また、マット本体２の凸部グループ列６が多数並設されている面を裏面として地面に向けて敷設したとき、滑り防止マット１の表面では、マット本体２の小突起部７が滑り防止マット１の上を通る人や自動車等との間の滑りを効果的に防止することができる。
【００２８】
また、マット本体２の小突起部７が設けられている面を裏面として地面に向けて敷設したとき、滑り防止マット１の表面では、滑り防止マット１の上を通る人や自動車等との間において、図５に示すように、横方向Ａの滑りに対しては、凸部グループ５の直線状凸部３が受けてその滑りを防止し、縦方向Ｂの滑りに対しては、凸部グループ５の直線状凸部３の長手方向の両側に配置したく字状凸部４の内側頂部４ａが受けてその滑りを防止し、斜め方向Ｃの滑りに対しては、凸部グループ５の直線状凸部３の長手方向の両側に配置したく字状凸部４の外側辺４ｃと内側辺４ｄが受けてその滑りを防止することができ、このような凸部グループ５を一列に配列した凸部グループ列６が多数並設されているので、あらゆる方向に対する滑りを効果的に防止することができる。
【００２９】
また、本例では、滑り防止マット１を、電力用、電線用、電話用等の各種ケーブル、各家庭から排出されるバケツ等の容器類、農業で扱う黒マルチフィルム、商店のポリ袋等の産業廃棄物のオルフェン系樹脂を加熱して混練し、２８００トン油圧プレスして成形して形成されているので、省資源に寄与することができる。
【図面の簡単な説明】
【００３０】
【図１】本考案に係る滑り防止マットの一例の一方の面を示す斜視図である。
【図２】本例の滑り防止マットの他方の面を示す斜視図である。
【図３】図１の一部拡大断面図である。
【図４】マット本体の一方の面の一部拡大図である。
【図５】本例の滑り防止マットの凸部グループの平面図である。
【符号の説明】
【００３１】
１  滑り防止マット
２  マット本体
３  直線状凸部
４  く字状凸部
４ａ  内側頂部
４ｂ  外側頂部
４ｃ  外側辺
４ｄ  内側辺
５  凸部グループ
６  凸部グループ列
７  小突起部
【図１】
0003128678.tif 000003
【図２】
0003128678.tif 000004
【図３】
0003128678.tif 000005
【図４】
0003128678.tif 000006
【図５】
0003128678.tif 000007